(57)【要約】【課題】企業の特性を示す複数の指標の特定企業内における順位を、視認性よく表現可能な技術の実現。【解決手段】企業の特性を示す複数の異なる指標の値を企業毎に格納しておく企業特性ＤＢ20を備え、この企業特性ＤＢ20を参照し、特定企業に係る各指標の値を取得する処理と、各指標の値に基づいて、当該企業における指標毎の順位を特定する処理と、相互に異なる形状を備えた複数の指標図形と各指標との対応関係を定義した設定情報、及び各指標図形の表示サイズと順位との対応関係を定義した設定情報を参照し、当該企業における各指標図形の表示サイズを特定する処理と、この表示サイズを反映させた指標図形を生成する処理と、各指標図形を、各指標の順位に従って二次元平面上に同心状に配置し、当該企業の企業特性マーク32を生成する処理と、この企業特性マーク32をWebサーバ12に送信する処理を実行するAPサーバ14を備えた企業特性可視化システム10。【選択図】図４
2020119059.tif 000002
【特許請求の範囲】
【請求項１】
企業の特性を示す複数の異なる指標の値を企業毎に格納しておく企業特性記憶手段と、
この企業特性記憶手段を参照し、特定企業に係る各指標の値を取得する手段と、
各指標の値に基づいて、当該企業における指標毎の順位を特定する手段と、
相互に異なる基本形状を備えた複数種類の指標図形と各指標との対応関係を定義した設定情報、及び各指標図形の表示サイズと順位との関係を定義した設定情報を参照し、当該企業における各指標図形の表示サイズを特定する手段と、
この表示サイズを反映させた複数の指標図形を、各指標の順位に従って二次元平面上に同心状に配置し、当該企業の企業特性マークを生成する手段と、
この企業特性マークを出力する手段と、
を備えたことを特徴とする企業特性可視化システム。
【請求項２】
各指標図形が、複数の基本図形を同心状に配置させ、一方の基本図形を所定の角度で回転させた形状を備えており、
この角度が、当該企業における指標の値に基づいて算出されることを特徴とする請求項１に記載の企業特性可視化システム。
【請求項３】
企業の特性を示す複数の異なる指標の値を企業毎に格納しておく企業特性記憶手段と、
この企業特性記憶手段を参照し、特定企業に係る各指標の値を取得する手段と、
各指標の値に基づいて、当該企業における指標毎の順位を特定する手段と、
相互に異なる基本形状を備えた複数種類の指標図形を描画するためのトロコイド係数と各指標との対応関係を定義した設定情報を参照し、各指標に固有のトロコイド係数を特定する手段と、
各指標の順位に応じたトロコイド曲線の外径及び内径の算出ルールを参照し、当該企業における指標毎の外径及び内径を特定する手段と、
上記トロコイド係数、トロコイド曲線の外径及び内径を所定の式に代入して、トロコイド曲線の描画に必要な定円の半径、動円の半径、動円の中心から描画点までの距離を算出する手段と、
これらをトロコイド曲線の描画公式に代入することにより、複数の指標図形を各指標の順位に従って二次元平面上に同心状に配置した当該企業の企業特性マークを生成する手段と、
この企業特性マークを出力する手段と、
を備えたことを特徴とする企業特性可視化システム。
【請求項４】
上記の各指標図形には、それぞれ異なった色彩が付与されていることを特徴とする請求項１〜３の何れかに記載の企業特性可視化システム。
【請求項５】
コンピュータを、請求項１〜４の何れかに記載した企業特性可視化システムとして機能させることを特徴とするプログラム。
【発明の詳細な説明】
【技術分野】
【０００１】
この発明は企業特性可視化システム及びプログラムに係り、特に、企業の特性を示す複数の指標の相対的な順序関係を視認性よく表現する技術に関する。
【背景技術】
【０００２】
各企業が備えている複数の指標の値を比較表示する手法として、例えば「レーダーチャート」と称するグラフが用いられている。
これは、中心から放射状に広がっている複数の軸線上に各企業の指標毎の値をプロットし、隣り合う点同士を線でつないだものであり、形成される図形の形状や面積によって、企業の全体像を表現することが可能となる。
【０００３】
【非特許文献１】レーダーチャート  インターネットＵＲＬ：https://ja.wikipedia.org/wiki/%E3%83%AC%E3%83%BC%E3%83%80%E3%83%BC%E3%83%81%E3%83%A3%E3%83%BC%E3%83%88  検索日：２０１９年１月１１日
【発明の開示】
【発明が解決しようとする課題】
【０００４】
しかしながら、レーダーチャートの場合、指標毎の値の高低を図形の形状から読み取ることはできるが、当該企業における各指標の順序を把握するためには、指標毎の数値を個別に比較検討する必要がある。
このため、各企業における指標毎の順位を直感的かつ迅速に把握し、規模の大小を問わずビジネスモデルが類似する企業同士をピックアップするといった用途に対し、従来のレーダーチャートは不向きであった。
【０００５】
この発明は、このような現状に鑑みて案出されたものであり、各企業の特性を示す複数の指標の当該企業内における順位を、視認性よく表現可能な技術の実現を目的としている。
【課題を解決するための手段】
【０００６】
上記の目的を達成するため、請求項１に記載した企業特性可視化システムは、企業の特性を示す複数の異なる指標の値を企業毎に格納しておく企業特性記憶手段と、この企業特性記憶手段を参照し、特定企業に係る各指標の値を取得する手段と、各指標の値に基づいて、当該企業における指標毎の順位を特定する手段と、相互に異なる基本形状を備えた複数種類の指標図形と各指標との対応関係を定義した設定情報、及び各指標図形の表示サイズと順位との関係を定義した設定情報を参照し、当該企業における各指標図形の表示サイズを特定する手段と、この表示サイズを反映させた複数の指標図形を、各指標の順位に従って二次元平面上に同心状に配置し、当該企業の企業特性マークを生成する手段と、この企業特性マークを出力する手段を備えたことを特徴としている。
【０００７】
ここで「外部に出力」とは、コンピュータのディスプレイに表示することや、プリンタを介して印刷すること、画像ファイルとして記憶装置に書き出すこと、Webページ中に埋め込み、ネットワーク経由で他のコンピュータに送信することなどを意味している（以下同様）。
【０００８】
請求項２に記載した企業特性可視化システムは、請求項１のシステムであって、さらに各指標図形が、複数の基本図形を同心状に配置させ、一方の基本図形を所定の角度で回転させた形状を備えており、この角度が、当該企業における指標の値に基づいて算出されることを特徴としている。
【０００９】
請求項３に記載した企業特性可視化システムは、企業の特性を示す複数の異なる指標の値を企業毎に格納しておく企業特性記憶手段と、この企業特性記憶手段を参照し、特定企業に係る各指標の値を取得する手段と、各指標の値に基づいて、当該企業における指標毎の順位を特定する手段と、相互に異なる基本形状を備えた複数種類の指標図形を描画するためのトロコイド係数と各指標との対応関係を定義した設定情報を参照し、各指標に固有のトロコイド係数を特定する手段と、各指標の順位に応じたトロコイド曲線の外径及び内径の算出ルールを参照し、当該企業における指標毎の外径及び内径を特定する手段と、上記トロコイド係数、トロコイド曲線の外径及び内径を所定の式に代入して、トロコイド曲線の描画に必要な定円の半径、動円の半径、動円の中心から描画点までの距離を算出する手段と、これらをトロコイド曲線の描画公式に代入することにより、複数の指標図形を各指標の順位に従って二次元平面上に同心状に配置した当該企業の企業特性マークを生成する手段と、この企業特性マークを出力する手段を備えたことを特徴としている。
【００１０】
請求項４に記載した企業特性可視化システムは、請求項１〜３のシステムであって、上記の各指標図形に対し、それぞれ異なった色彩が付与されていることを特徴としている。
【００１１】
請求項５に記載した企業特性可視化プログラムは、コンピュータを、請求項１〜４の何れかに記載した企業特性可視化システムとして機能させることを特徴としている。
【発明の効果】
【００１２】
この発明によって生成される企業特性マークは、各指標図形の配置順によって当該企業における各指標の順位を表現する機能を備えているため、これを閲覧したユーザは、その企業の特性（ビジネスモデル）を直感的に認識することができる。
また、複数の企業特性マークを比較することにより、企業相互間のビジネスモデルの類似性を迅速に把握することが可能となる。
【発明を実施するための最良の形態】
【００１３】
図１は、この発明に係る企業特性可視化システム10の全体構成を示すブロック図であり、Webサーバ12と、APサーバ14と、ユーザが操作する複数のクライアント端末16とを備えている。
Webサーバ12とAPサーバ14間は、ネットワークを介して接続されている。
またWebサーバ12と各クライアント端末16間は、インターネットを介して接続されている。
クライアント端末16としてはPCが典型例であるが、タブレットやスマートフォンなど、Webブラウザが搭載された他のコンピュータであってもよい。
【００１４】
APサーバ14は、このシステム10の中核をなすコンピュータであり、OS及び専用のアプリケーションプログラムを備えると共に、その記憶装置内には、企業属性ＤＢと企業特性ＤＢを備えている。
【００１５】
図２(a)は、企業属性ＤＢ（データベース）18の構造を示すものであり、企業ID、企業名、所在地、業種等のデータ項目を備えている。
ここで「企業ID」とは、企業を特定するための識別符号を意味する。「一企業に一企業ID」が原則であるが、同一企業に属する異なる事業部や支店に対し独自の企業IDを割り振ることを妨げるものではない。
また、図２(b)は企業特性ＤＢ（データベース）20の構造を示すものであり、企業ID、コネクタ度の偏差値、ハブ度の偏差値、利益貢献度の偏差値、雇用貢献度の偏差値等のデータ項目を備えている。
【００１６】
ここで「コネクタ度」とは、企業が所在している都道府県の全域外販売額に対し、当該企業の占めるシェア（推計）を示す値であり、例えば以下の算出式によって求められる。
■コネクタ度＝自社の域外販売額／域内企業の全域外販売額
【００１７】
また「ハブ度」とは、企業が所在している都道府県の全域内仕入額に対し、当該企業の占めるシェア（推計）を示す値であり、例えば以下の算出式によって求められる。
■ハブ度＝自社の域内仕入額／域内企業の全域内仕入額
【００１８】
「利益貢献度」とは、企業の過去３年間の営業利益の平均値を示す値であり、例えば以下の算出式によって求められる。
■利益貢献度＝（２年前の営業利益＋１年前の営業利益＋最新期の営業利益）／３
【００１９】
「雇用貢献度」とは、企業の過去３年間の従業員数の平均値を示す値であり、例えば以下の算出式によって求められる。
■雇用貢献度＝（２年前の従業員数＋１年前の従業員数＋最新期の従業員数）／３
【００２０】
企業特性ＤＢ20には、各企業のコネクタ度やハブ度、利益貢献度、雇用貢献度に基づいて算出した、各指標の偏差値が格納されている。
【００２１】
このシステム10において、ユーザがクライアント端末16からWebサーバ12にアクセスし、Webページ上に設けられた検索ボックスに「企業所在地（都道府県等）」や「業種」、「企業名」等の検索条件を入力すると、APサーバ14が企業属性ＤＢ18及び企業特性ＤＢ20を参照し、検索条件にマッチする企業を抽出する。
その後、APサーバ14によって各抽出企業の特性マークが生成され、Webサーバ12を介してクライアント端末16に企業特性マーク表示用のWebファイルが送信される。
【００２２】
図３は、クライアント端末16のWebブラウザ上に表示された企業特性マーク一覧画面30を例示するものであり、企業毎に異なる形状を備えた企業特性マーク32が、平面上に多数配置されている。
各企業特性マーク32は、図４に示すように、相互に色彩及び形状の異なる第１の指標図形34、第２の指標図形36、第３の指標図形38、第４の指標図形40を、入れ子式に組み合わせることによって構成されている。
【００２３】
ここでは、第１の指標図形34は「コネクタ度」に関連付けられており、赤の色彩が付与されている。また、第２の指標図形36は「ハブ度」に関連付けられており、青の色彩が付与されている。第３の指標図形38は「雇用貢献度」に関連付けられており、黄緑の色彩が付与されている。第４の指標図形40は、「利益貢献度」に関連付けられており、黒の色彩が付与されている。
これらの設定情報（各指標図形の形状や線の色彩、線種、太さ、及び指標との関連付け）は、APサーバ14の記憶装置やプログラム中に格納されている。
【００２４】
各指標図形は、各企業におけるコネクタ度、ハブ度、雇用貢献度、利益貢献度の偏差値の高低に応じて、それぞれの配置位置及び大きさが決定される。
すなわち、最も偏差値の高い指標の図形に対しては、最も大きなサイズ（縦横寸法）が付与されると共に、最外殻に配置される。
また、次に偏差値の高い指標の図形には２番目に大きなサイズが付与されると共に、外側から２番目の位置に配置される。
次に偏差値の高い指標の図形には３番目に大きなサイズが付与されると共に、外側から３番目の位置に配置される。
最も偏差値の低い指標の図形には最も小さなサイズが付与されると共に、最内殻に配置される。
【００２５】
したがって、図４に例示された企業（瀬名川産業(株)）の場合、各指標の偏差値の順番が、高い順にコネクタ度→ハブ度→利益貢献度→雇用貢献度であることが一目で把握できる。
各指標図形は、それぞれの中心点42が重なるように、同心状に配置される。
各指標図形の並び順を入れ替えることにより、合計で１６パターンの異なった類型を表現することが可能となる。
【００２６】
各指標図形は、同種・同大の一対の基本図形を組み合わせた構成を備えている。
例えば第１の指標図形34の場合、図５に示すように、正九角形44の各辺を内側に若干湾曲させた星形類似の第１の基本図形46を二つ用い、それぞれの中心点42を重ねることによって構成されている。
【００２７】
この際、一方の第１の基本図形46を所定角度回転させることにより、両者の完全な重複が回避されると同時に、この角度を変えることによって異なった形状を実現することが可能となる。
すなわち、第１の指標図形34の場合、一方の第１の基本図形46を１５度回転させた際には各基本図形のトゲ状の凸部がほとんど重複せずに独立して表示されるのに対し、５度の回転では双方の凸部の大部分が重複しており、凸部の数が少ないように見える。
詳細は後述するが、この角度は当該指標の偏差値に基づいて決定される。
【００２８】
第２の指標図形36の場合には、図６に示すように、３つの円48を部分的に重ねて重複部分の線を除去した雲形の第２の基本図形50を二つ用い、それぞれを同心状に重ねることによって構成されている。
この場合にも、一方の第２の基本図形50を所定角度回転させることによって両者の完全な重複が回避されると同時に、この角度を変えることによって異なった形状を実現することが可能となる。
この角度は、当該指標の偏差値に基づいて決定される（詳細は後述）。
【００２９】
第３の指標図形38の場合には、図７に示すように、２つの円52を部分的に重ねて重複部分の線を除去すると共に、各円の上端及び下端を結ぶ直線54を追加した俵形の第３の基本図形56を二つ用い、それぞれを同心状に重ねることによって構成されている。
この場合にも、一方の第３の基本図形56を所定角度回転させることによって両者の完全な重複が回避されると同時に、この角度を変えることによって異なった形状を実現することが可能となる。
この角度は、当該指標の偏差値に基づいて決定される（詳細は後述）。
【００３０】
第４の指標図形の場合には、図８に示すように、正六角形58の各辺を内側に若干湾曲させると共に、角を丸めた星形類似の第４の基本図形60を二つ用い、それぞれを同心状に重ねることによって構成されている。
この場合にも、一方の第４の基本図形60を所定角度回転させることによって両者の完全な重複が回避されると同時に、この角度を変えることによって異なった形状を実現することが可能となる。
この角度は、当該指標の偏差値に基づいて決定される（詳細は後述）。
【００３１】
つぎに、上記した内容と一部重複するが、図９のフローチャートに従い、企業特性マーク32の生成手順について説明する。
まずAPサーバ14は、企業属性ＤＢ18及び企業特性ＤＢ20を参照し、各抽出企業に係るコネクタ度、ハブ度、利益貢献度、雇用貢献度の偏差値を取得する（Ｓ10）。
【００３２】
つぎにAPサーバ14は、抽出企業毎に各指標を偏差値順に整列させ、指標図形の配置順を特定する（Ｓ12）。
つぎにAPサーバ14は、各指標図形の配置順に応じて、それぞれのサイズを特定する（Ｓ14）。
すなわち、指標図形毎に配置順に応じた表示サイズ（縦横の寸法等）が予めAPサーバ14の記憶装置やプログラム中に設定されているため、APサーバ14はこの設定値を参照して上記サイズを決定する。
【００３３】
つぎにAPサーバ14は、各指標の偏差値に応じて、各基本図形間の回転角度を求める（Ｓ16）。
すなわち、指標図形毎に回転角度の上限と下限が定義されているため、APサーバ14はこの範囲内で各指標の偏差値に応じた角度を具体的に算出する。
具体的には、以下の数式１に従ってそれぞれの角度が決定される。
［数式１］
角度＝ｆ＋（ｓ−ｆ）×ｔ／ｍａｘ［Ｔ］
ｔ：偏差値の集合Ｔに含まれる１要素の偏差値（ｔ＞０）
ｆ：最小角度（定数）
ｓ：最大角度（定数）
ｍａｘ［Ｔ］：偏差値の集合Ｔに含まれる要素の最大値
【００３４】
つぎにAPサーバ14は、上記のサイズ及び回転角度を反映させた各指標図形を生成し（Ｓ18）、上記配置順に従って二次元平面上に同心状に重ね合わせることにより、企業特性マーク32を生成する（Ｓ20）。
なお、上記のＳ10〜Ｓ20の処理順序は一例であり、この発明はこれに拘束されるものではない。
【００３５】
APサーバ14によって生成された各企業特性マーク32は、Webサーバ12によってWebファイル中に配置され、ユーザのクライアント端末に送信される。
この結果、クライアント端末のディスプレイに上記の企業特性マーク一覧画面30が表示される。
各企業特性マーク32にはリンクが設定されているため、ユーザが特定の企業特性マーク32をクリック等して選択すると、当該企業に係る詳細情報等がWebサーバ12からクライアント端末16に送信される。
【００３６】
各企業特性マーク32は、それぞれの指標図形の配置順によって当該企業の特性を表現する機能を備えているため、これらを比較検討することにより、ユーザは直感的にビジネスモデルが類似する企業を認識することができる。
【００３７】
例えば、図３における(a)のABC工業(株)と(f)の(株)平和エンジニアリングを比較すると、以下のことが読み取れる。
(1) 各指標図形の配置順が同じであるため、同様のビジネスモデルを備えた企業である。
(2) 第２の指標図形36については、両社の第２の基本図50間に角度の開き（ズレ／位相差）が生じているため、ハブ度の偏差値に相違がある。
(3) 第４の指標図形40についても、両社の第４の基本図形60間に角度の開きが生じているため、利益貢献度の偏差値に相違がある。
(4) 第３の指標図形38については、同じ形状を備えているため、雇用貢献度の偏差値は両社に大きな差異がない。
【００３８】
上記においては、各指標図形を構成する基本図形が同じ色彩を備えていることを前提としたが、必ずしもこれに限定されるものではなく、相互に異なる色彩や濃度、透明度を備えていてもよい。
また、各基本図形は実線に限らず、破線や一点鎖線等で表現されてもよい。
基本図形の形状も、上記のような星形や雲形、俵形に限られず、正方形や他の多角形に類似した図形、あるいはより複雑な形状を備えた図形であってもよい。
【００３９】
あるいは、基本図形を構成する線の色彩や濃度が経時的に変化するように表現することにより、恰も生きている微生物や細胞を連想させることもできる。
このようなコントロールは、例えばWebページ中に埋め込まれた制御コードによって実現される。
【００４０】
さらに、一対の基本図形を同心状に組み合わせて各指標図形を形成する代わりに、トロコイド曲線によって各指標図形を一筆書きで描画することもできる。
図１０は、トロコイド曲線によって上記第１の指標図形34と類似した形状の指標図形70を描画した例を示しており、基準点72から右回り（または左回り）に出発して１周目の描画（図示の便宜上、実線で表現）が完了した後、２周目の描画（図示の便宜上、破線で表現）に移行し、第１の指標図形34に似たイメージの指標図形が描かれる。
１周目の軌跡のトゲ状の凸部と２周目の軌跡のトゲ状の凸部との間には所定の位置ズレが生じており、この位置ズレによって偏差値の相違を表現することができる。
トロコイド曲線による描画は２周に限定されるものではない。なお、周回数が多くなる指標図形を、一定の速度でディスプレイ上に描画するような場合には、先に描画された部分から徐々に濃度が薄れていくような演出を取り入れることにより、そのデザイン性及び視認性を高めることができる。
【００４１】
図示は省略したが、上記第２の指標図形36〜第４の指標図形40に類似した形状の指標図形を、トロコイド曲線によって一筆書きで描画することも当然に可能である。
以下において、図１１のフローチャートに従い、トロコイド曲線によって各指標図形を形成する方法の一例を示す。
【００４２】
まずAPサーバ14は、企業属性ＤＢ18及び企業特性ＤＢ20を参照し、各抽出企業に係るコネクタ度、ハブ度、利益貢献度、雇用貢献度の偏差値を取得する（Ｓ30）。
つぎにAPサーバ14は、抽出企業毎に各指標を偏差値順に整列させ、指標図形の配置順を特定する（Ｓ32）。
【００４３】
つぎにAPサーバ14は、予めAPサーバ14の記憶装置やプログラム中に設定されている各指標に固有のトロコイド係数（トゲ率／形状係数）および線色を特定する（Ｓ34）。トロコイド係数は、例えば-1から+1の範囲で設定されており、これによって指標毎の基本形状が定まる。
【００４４】
つぎにAPサーバ14は、予め設定された算出ルールに従い、各指標の順位に応じたトロコイド曲線の外径及び内径を特定する（Ｓ36）。
以下に、トロコイド曲線の外径及び内径の算出ルールを例示する。
(1) 最初に、最も偏差値の高い指標について、以下のルールで外径と内径を定める。
○「外径」は、予め設定された指標図形のサイズとする。
○「内径」は、当該指標の偏差値が当該企業の全指標の偏差値の合計に対して占める割合に比例する値とする。
(2) 第２番目以降に偏差値の高い指標について、以下のルールでそれぞれの外径と内径を定める。
○「外径」は、そのひとつ前の指標の図形の内径に所定の余白を加えたものとして定める。
○「内径」は、当該指標の偏差値が当該企業の全指標の偏差値の合計に対して占める割合に比例する値とする。
【００４５】
つぎにAPサーバ14は、各指標について、対応図形のトロコイド係数・外径・内径を以下の各式に代入して、トロコイド曲線の描画に必要な定数（定円の半径、動円の半径、動円の中心から描画点までの距離）を求める（Ｓ38）。
○ 定円の半径Rc = (外径 - 内径) / (2 * トロコイド係数)
○ 動円の半径Rm = 外径 + (外径 - 内径) / 2 / (トロコイド係数- 1)
○ 動円の中心から描画点までの距離Rd = (外径 - 内径) / 2
【００４６】
つぎにAPサーバ14は、各指標についてトロコイド曲線を対応の線色で描画し、企業特性マークを生成する（Ｓ40）。
○ 描画する曲線上の点の座標は、回転角をθとしたときに、以下の計算式（トロコイド曲線の描画公式）で求められる。
x = (Rc - Rm) * cos(θ) + Rd * cos (Rc / Rm * θ)
y = (Rc - Rm) * sin(θ) - Rd * sin (Rc / Rm * θ)
【００４７】
なお、トロコイド曲線による企業特性マークの生成に際し、APサーバ14は、 回転角θを0から12π（６周）までとしたときに、当該トロコイド曲線の始点と終点が同じ点になるように、次の調整を施すこともできる（ただし、この調整は必須ではない）。
○ 当該トロコイド曲線上の点が特性マークの中心から最大距離をとる回数（トゲ数）を以下の計算式で求める。
トゲ数Ns = 外径 / 内径 * 6 の整数部分
○ 12πに最も近い回転角で、当該トロコイド曲線上の点が特性マークの中心から最大距離をとるとき、その回転角θsは以下の計算式で求められる。
θs = Ns * 2π / (外径 / 内径)
○ 回転角θが6π < θ <= θsの場合は、回転角θを定円回転角θcと動円回転角θmに分け、座標を算出する。
θc = θ
θm = 6π + 6π * (θ - 6π) / (θs - 6π)
x = (Rc - Rm) * cos(θc) + Rd * cos (Rc / Rm * θm)
y = (Rc - Rm) * sin(θ)c - Rd * sin (Rc / Rm * θm)
○ 回転角θがθs < θ <= 12πの場合は座標計算および描画を行わない。
【００４８】
上記の通り、各指標図形をトロコイド曲線で描画するに当たり、各指標の偏差値の順位に基づいて指標図形の外径と内径が決定され、両者の差が指標図形の形状（トゲの重なり具合）に反映される。このため、同種の指標図形であっても、その形状（トゲの重なり具合）によって偏差値の相違を表現することが可能となる。
なお、各指標図形をトロコイド曲線で描画する場合においても、トロコイド曲線の一部を他の部分と異なる色で描画したり、各指標についてトロコイド曲線の描画部分を経時的に変化させたりすることができる。
【００４９】
上記したコネクタ度、ハブ度、利益貢献度、雇用貢献度はあくまで一例であり、企業特性を表す他の指標に基づいて企業特性マーク32を生成することもできる。指標の数も、４つに限定されることはない。
また、性質の異なる指標同士を比較するため、それぞれの偏差値を用いる例を示したが、他の基準に従って異なる指標間の順位付けを行うこともできる。
指標図形の配置順も上記とは逆に、偏差値の高い指標に係る指標図形ほど内側に配置されるように構成してもよい。
【００５０】
上記においては、ユーザからの検索リクエストを受けた時点で企業特性マーク32が生成される例を示したが、APサーバ14や他のコンピュータによって予め各企業の企業特性マーク32を生成しておき、所定の記憶手段に格納しておくことも当然に可能である。
【図面の簡単な説明】
【００５１】
【図１】この発明に係る企業特性可視化システムの全体構成を示すブロック図である。
【図２】企業属性ＤＢ及び企業特性ＤＢの構成を示す図である。
【図３】企業特性マーク一覧画面を示す図である。
【図４】企業特性マークが第１の指標図形〜第４の指標図形によって構成されることを示す図である。
【図５】第１の指標図形を示す図である。
【図６】第２の指標図形を示す図である。
【図７】第３の指標図形を示す図である。
【図８】第４の指標図形を示す図である。
【図９】企業特性マークを生成する際の手順を示すフローチャートである。
【図１０】トロコイド曲線によって第１の指標図形に類似した指標図形を形成する様子を示す図である。
【図１１】トロコイド曲線によって企業特性マークを生成する際の手順を示すフローチャートである。
【符号の説明】
【００５２】
10    企業特性可視化システム
12    Webサーバ
14    APサーバ
16    クライアント端末
18    企業属性ＤＢ
20    企業特性ＤＢ
30    企業特性マーク一覧画面
32    企業特性マーク
34    第１の指標図形
36    第２の指標図形
38    第３の指標図形
40    第４の指標図形
42    中心点
46    第１の基本図形
50    第２の基本図形
56    第３の基本図形
60    第４の基本図形
70    トロコイド曲線による指標図形
72    基準点
【図１】
2020119059.tif 000003
【図２】
2020119059.tif 000004
【図３】
2020119059.tif 000005
【図４】
2020119059.tif 000006
【図５】
2020119059.tif 000007
【図６】
2020119059.tif 000008
【図７】
2020119059.tif 000009
【図８】
2020119059.tif 000010
【図９】
2020119059.tif 000011
【図１０】
2020119059.tif 000012
【図１１】
2020119059.tif 000013